【手続補正書】
【提出日】平成25年1月25日(2013.1.25)
【手続補正１】
【補正対象書類名】特許請求の範囲
【補正対象項目名】全文
【補正方法】変更
【補正の内容】
【特許請求の範囲】
【請求項１】
光線を受光するための少なくとも一つの光入力；少なくとも二つの光出力；前記光入力から前記光線を受光し、前記光線を複数の波長成分へ空間的に分離する分散素子；前記複数の波長成分を平行光化するための平行性素子；及び、前記平行性素子から前記平行光化された複数の波長成分を受光するための作動可能な光学配置；を含む多波長スイッチであって、前記作動可能な光学配置は、少なくとも一つの特定の波長成分が光出力の選択されたものに指向される前に、第１の部分を少なくとも一度外れて、及び、前記ＤＭＤの第２の部分を少なくとも一度外れて反射されるデジタルマイクロミラー装置（ＤＭＤ）を含み、前記ＤＭＤの前記第２の部分は、前記ＤＭＤの前記第１の部分とは異なる、多波長スイッチ。
【請求項２】
前記ＤＭＤが前記平行光化された複数の波長成分を受け取り、前記ＤＭＤが前記波長成分を選択的に反射するために個々に作動可能なミラー素子のアレイを有し、前記作動可能な光学配置が、前記ＤＭＤから前記反射された波長成分を受取、前記ＤＭＤの前記ミラー素子の選択されたものへそれらを戻すように指向するための光学素子をさらに含む、請求項１の多波長スイッチ。
【請求項３】
前記作動可能なミラー素子が三つのアドレス可能な状態のいずれかにおいて作動可能である、請求項２の多波長スイッチ。
【請求項４】
前記少なくとも二つの光出力が少なくとも三つの出力ポートを含む、請求項３の多波長スイッチ。
【請求項５】
前記光学素子が前記ＤＭＤの前記ミラー素子の反射面に面する反射面を有する複数の平面鏡を含む、請求項２の多波長スイッチ。
【請求項６】
前記分散素子が回折格子及びプリズムから構成される群から選択される、請求項１の多波長スイッチ。
【請求項７】
前記平面鏡が前記ＤＭＤの各々の前記反射された波長成分の予め選択された回析次数を受容するために配置される、請求項５の多波長スイッチ。
【請求項８】
前記平面鏡は、前記ＤＭＤのミラー素子がオフ又はフロート状態の時、前記ＤＭＤのミラー面に対して平行である、請求項７の多波長スイッチ。
【請求項９】
前記複数の平面鏡が単一の一体型アセンブリを形成するために前記ＤＭＤと一体化される、請求項５の多波長スイッチ。
【請求項１０】
前記光入力及び光出力が互いに平行である、請求項１の多波長スイッチ。
【請求項１１】
前記光入力及び前記光出力から選ばれる少なくとも二つのポートが互いに平行でない、請求項１の多波長スイッチ。
【請求項１２】
前記波長成分が、前記分散素子によって再結合される前に、少なくとも二回反射する、請求項１の多波長スイッチ。
【請求項１３】
前記波長成分が、前記選択されたいずれか１つの出力に結合される前に、少なくとも二回反射される、請求項１の多波長スイッチ。
【請求項１４】
前記平面鏡が空間的に変化する反射領域を有する前記ＤＭＤに重なる透明窓により定められる、請求項９の多波長スイッチ。
【請求項１５】
前記波長成分が複数のミラー素子から反射され、前記ミラー素子は、前記光出力の二つ以上に前記波長成分を指向するために位置決め可能である、請求項２の多波長スイッチ。
【請求項１６】
光線を受光するための少なくとも一つの光入力；少なくとも三つの光出力；前記光線を平行光化するための平行性素子；及び、前記平行光を受容する作動可能な光学配置；を含む光スイッチであって、前記作動可能な光学配置は、前記光線が、前期光出力の選択されたものに指向される前に、第１の部分を少なくとも一度外れて、及び、前記ＤＭＤの第２の部分を少なくとも一度外れて反射されるデジタルマイクロミラー装置（ＤＭＤ）を含み、前記作動可能な光学配置は、前記光線を反射するため、三つの状態のいずれかに選択的に位置決め可能である個々に作動可能なミラー素子のアレイを有し、前記ＤＭＤの前記第２の部分は前記ＤＭＤの前記第１の部分とは異なる、光スイッチ。
【請求項１７】
前記入力ポートで前記光線を受光すること；前記光線の前記波長成分を空間的に分離すること；前記空間的に分離された波長成分を平行光化すること；前記ＤＭＤの第１の部分へ前記平行光化された波長成分を指向すること；前記第１の部分とは異なる前記ＤＭＤの第２の部分に戻るように前記個々の波長成分を再び指向する少なくとも一つの光学素子に前記波長成分の個々のものを選択的に指向するために前記ＤＭＤの個々のミラー素子を選択的に作動させること；及び、前記個々の波長成分の少なくともいくつかが少なくとも一つの選択された出力ポートに指向されるように、前記個々の波長成分が二回再び指向される前記ミラー素子の個々のものを選択的に作動させること；を含む、光線の波長成分を入力ポートから少なくとも１つの出力ポートへ指向する方法。
【請求項１８】
入力ポートから少なくとも一つの出力ポートまで光線の波長成分を指向する方法であって：前記入力ポートで前記光線を受光すること；前記光線の前記波長成分を空間的に分離すること；前記空間的に分離された波長成分を平行光化すること；ＤＭＤのそれぞれの第１の部分へ前記平行光化された波長成分を指向すること；個々の波長が独立して指向される少なくとも一つの出力ポートを決定するため、前記ＤＭＤの個々のミラー素子を選択的に作動させること；及び、一以上の前記個々の波長成分を選択的に減衰させるため、前記少なくとも一つの出力ポートにそれらを指向する前に、前記ＤＭＤの前記それぞれの第１の部分とは異なる前記ＤＭＤのそれぞれの第２の部分に前記個々の波長成分を指向すること；を含む、方法。
【請求項１９】
第１の光線を選択的に切り替えるための前記光スイッチの１つ目に関連する、少なくとも１つの第１の光入力および２つの第１の光出力；
第２の光線を選択的に切り替えるための前記光スイッチの２つ目に関連する、少なくとも１つの第２の光入力および１つの第２の光出力；
前記第１及び第２の光入力から前記第１及び第２の光線を受光し、空間的に前記第１、第２の光線を複数の第１及び第２の波長成分に互いに分離する分散素子；
複数の第１及び第２の波長成分を平行光化するための平行性素子；
及び、前記第１及び第２の平行光化された複数の波長成分を受容する作動可能な光学配置を含む
少なくとも二つの、独立して操作可能な光スイッチを含む、光スイッチング装置であって、前記作動可能な光学配置は、前記第１の光出力及び前記第２の光出力の選択されたものにそれぞれ指向される前に、第１の部分を少なくとも一度外れて、及び、前記ＤＭＤの第２の部分を少なくとも一度外れて各々反射されるデジタルマイクロミラー装置（ＤＭＤ）を含み、前記ＤＭＤの前記第２の部分は、前記ＤＭＤの前記第１の部分とは異なる、光スイッチング装置。
【請求項２０】
前記ＤＭＤが前記第１及び第２の平行光化された複数の波長成分を受け取り、前記ＤＭＤが前記波長成分を選択的に反射するために個々に作動可能なミラー素子のアレイを有し、前記作動可能な光学配置が前記第１及び第２の光スイッチとそれぞれ関連する第１及び第２の光学素子をさらに含み、前記第１及び第２の光学素子が、前記ＤＭＤから前記第１及び第２の複数の波長成分の前記反射された波長成分をそれぞれ受け取り、それらを前記ＤＭＤの前記ミラー素子の選択されたものへ戻すように指向するために構成される、請求項１９の光スイッチング装置。
【請求項２１】
前記第２の光スイッチが光チャネルモニタとして構成される、請求項１９の光スイッチング装置。
【請求項２２】
前記前記光スイッチのうちの他方と関連する少なくとも二つの第２の光出力をさらに含む、請求項１９の光スイッチング装置。